(57)【特許請求の範囲】
【請求項１】
上蓋と、パレット上に固定された金枠と、前記パレット上に前記金枠を介して折畳み可能に立設される前後左右の側板とを備える簡易コンテナにおいて、
前記前後の各側板が、その両側面下端部の所定の位置に設けられたコンテナの左右方向へ突出する一対のピンと、その外面両下隅部の下端から所定距離だけ上方に設けられた一対の縦長穴とを有し、
前記左右の各側板が、その両側面下端部に設けられたコンテナの前後方向へ突出する一対のピンを有し、
前記金枠が、側板４枚分を収容しうる高さを有して各辺に立設され四隅で互いに連結する垂直壁を備え、
金枠の前後の各垂直壁が上下方向に段差をなす壁部からなり、その下壁部は側板を載置できる幅で外方へ張り出す中間水平部を介して上壁部に連結し、前記下壁部と中間水平部はそれらの左右両端と左右の垂直壁との間に、前記前後方向のピンを収容する縦方向の隙間を有し、前記上壁部はその内面左右両端側の前記縦長穴に対応する位置に、コンテナ内方を向く突起を有し、
金枠の左右の各垂直壁が、その両端から夫々所定距離だけ中央寄りの位置に前記左右方向のピンを収容する縦方向のスリットを有することを特徴とする簡易コンテナ。
【発明の詳細な説明】
【０００１】
【発明の属する技術分野】
本発明は折り畳み式簡易コンテナに関する。
【０００２】
【従来の技術】
パレット上に金枠を固定し、この金枠を介してパレット上に前後左右の側板を折畳み可能に組み立てる形式の簡易コンテナが従来から知られている。
【０００３】
そのようなコンテナには大別して２つの形式があり、１つは４枚の側板が完全に金枠から分離される形式であり、もう１つは各側板の下端部をピボットにより常時金枠に取付けておく形式である。
【０００４】
前者すなわち側板分離型のコンテナでは、側板を組立てる際に側板を１枚づつ手で持ち上げて金枠に差し込んで止める必要があり、その作業が煩雑である。またコンテナを折り畳んで返送する際、側板が紛失する可能性がある。
【０００５】
また、後者すなわちピボット型のコンテナでは、側板の組立は、寝かせてある側板を立て起こすだけであるから分離型に比して容易であり、紛失の危険も少ない。しかし、破損した側板等を修理する際に側板を金枠から取外すのに手間が掛かる。
【０００６】
【発明が解決しようとする課題】
本発明の課題は、従来の簡易コンテナにおける上記の問題点を解決するため、寝かせてある側板を立て起こすだけで簡単に側板組立ができ、しかも必要なときは各側板を金枠から容易に取外すことができる、新たな構造の簡易コンテナを提供することである。
【０００７】
【課題を解決するための手段】
上記の課題は、上蓋と、パレット上に固定された金枠と、前記パレット上に前記金枠を介して折畳み可能に立設される前後左右の側板とを備える簡易コンテナにおいて、前記前後の各側板が、その両側面下端部の所定の位置に設けられたコンテナの左右方向へ突出する一対のピンと、その外面両下隅部の下端から所定距離だけ上方に設けられた一対の縦長穴とを有し、前記左右の各側板が、その両側面下端部に設けられたコンテナの前後方向へ突出する一対のピンを有し、前記金枠が、側板４枚分を収容しうる高さを有して各辺に立設され四隅で互いに連結する垂直壁を備え、金枠の前後の各垂直壁が上下方向に段差をなす壁部からなり、その下壁部は側板を載置できる幅で外方へ張り出す中間水平部を介して上壁部に連結し、前記下壁部と中間水平部はそれらの左右両端と左右の垂直壁との間に、前記前後方向のピンを収容する縦方向の隙間を有し、前記上壁部はその内面左右両端側の前記縦長穴に対応する位置に、コンテナ内方を向く突起を有し、金枠の左右の各垂直壁が、その両端から夫々所定距離だけ中央寄りの位置に前記左右方向のピンを収容する縦方向のスリットを有することを特徴とする簡易コンテナ、により解決することができる。
【０００８】
本発明に係る簡易コンテナ（以下、本コンテナという）において、中間水平部の上面はパレット面から側板約２枚分の板厚に相当する高さを有し、その上に直立する前後の側板の高さ（背丈）は、中間水平部の上面高さの分だけ左右の側板より低い。また、前記縦方向スリット底面の高さは中間水平部上面の高さにほぼ等しい。さらに、左右の側板の両側面が前後の側板の両端内面に当接して組立てられるので、金枠の各辺は、そのように組立てられる各側板を収容するに足る長さを有する。
【０００９】
以上のように構成される本コンテナの側板を折り畳む際は、前後方向のピンが縦方向の隙間に、左右方向のピンが縦方向のスリット内に夫々落し込まれた状態のまま、下から左右又は右左の側板及び前後又は後前の側板の順で、各側板を金枠が形成する空間内に平らに積み重ねればよい。
【００１０】
また、本コンテナの側板を起こしてコンテナ空間を形成する場合は、前後の各側板を左右方向のピンの回りに回動させ、上壁部内面の突起を縦長穴に嵌入させつつ各側板を中間水平部の上に直立させ、次いで、左右の各側板を前後方向のピンの回りに回動させてパレット上に直立させ、各側板の上端部を止め金具で相互に固定すればよい。この場合、前後の側板は縦長穴に嵌入する突起により浮上りを防止され、左右の側板は上端部が止め金具で前後の側板に固定されることで浮上りが防止される。箱状に組立てられた各側板の上端には上蓋をかぶせてゴムバンド等で固定する。
【００１１】
なお、上記構成の本コンテナでは縦方向のスリットの上部は開放されており、スリット周辺に外力が加わったとき変形し易い。また、スリット内に落し込まれる前後方向及び左右方向のピンの頭部がコンテナ外部に露出する。これらに対しては、例えば前後の垂直壁の左右端部と左右の垂直壁のスリット周辺部分とを覆う隅金具を設け、左右の垂直壁と重なる隅金具の外面にスリットをまたぐ縦長樋状の膨出部を設けて、ピンの頭部をカバーするようにしてもよい。
【００１２】
【発明の実施の形態】
本発明の好適な実施形態として次の（イ）を挙げることができる。
（イ）前記側板の少なくとも１枚を分割線を境に上下に２分割し、分割線上に設けたヒンジにより該側板の上部をコンテナ外方へ反転可能にした上記簡易コンテナ。
【００１３】
本実施形態によれば、側板のうちの少なくとも１枚は２つ折れ構造になっているので、その側板の上部をコンテナ外方へ反転させれば、コンテナに内容物を容易に積み込むことができて便利である。
【００１４】
【実施例】
以下に、添付図面を参照しつつ、本発明の好適な一実施例について説明する。図１は本実施例たる簡易コンテナ（参照符号１００）における金枠コーナー部分の構造を説明するための三面図及び斜視図、図２はコンテナ１００の全体像を示す斜視図である。図１（Ａ）は金枠コーナー部分の平面図、（Ｂ）は同正面図、（Ｃ）は同側面図、（Ｄ）は側板を立てた状態で縦長穴の位置を通る平面で切った平断面図、（Ｅ）は金枠コーナー部分の斜視図である。
【００１５】
図１及び図２において参照符号１はパレット、２は金枠、２１は金枠２の前後の垂直壁、２１１は垂直壁２１の下壁部、２１２は中間水平部、２１３は上壁部、２１４は上壁部２１３の内面両端部に設けた突起、２１５は中間水平部２１２及び下壁部２１１と左右の垂直壁２２との間の隙間、２２は金枠２の左右の垂直壁、２２１は垂直壁２２の両端近くに設けた縦方向のスリット、３は隅金具、３１は縦スリット２２１をまたぐ縦長樋状の隅金具３の膨出部、４はコンテナの前後の側板、４１は側板４の側面にコンテナ内方へ偏心させて設けた左右方向のピン、４２は側板４の外面両縁下方に設けた縦長穴、４３は上下２分割された側板４の下部、４４は上部、４５は側板４の分割線上に設けたヒンジ（図示せず）４６は側板４の外面両縁角部を覆うアングル状縁金具、５はコンテナの左右の側板、５１は側板５の両側面下端に設けた前後方向のピン、５２は側板５外面の中間高さに設けたラッチ錠、５３は側板５外面の上縁部両側に設けた止め金具、６は上蓋を示す。
【００１６】
上記垂直壁２１、２２は側板板厚４枚分の高さを有し、中間水平部２１２上面は側板板厚のほぼ２枚分の高さを有し、縦スリット２２１は左右方向のピン４１を収容しうる幅と垂直壁２２の上端から中間水平部２１２上面高さに至る深さとを持つ。また、側板４は２つ折れ構造になっており、その下半分４３はラッチ錠５２により側板５に固定され、上半分４４はヒンジ４５によりコンテナ１００外方へ反転させることができる。
【００１７】
コンテナ１００の側板４、５を折り畳む際は、前後方向のピン５１が下壁部２１１両端の隙間２１５に、及び左右方向のピン４１がスリット２２１内に夫々落し込まれた状態のまま、下から左右又は右左の側板５、及び前後又は後前の側板４の順で、各側板５、４を金枠２が形成する空間内に平らに積み重ねればよい。
【００１８】
コンテナ１００の側板４、５を起こしてコンテナ空間を形成する場合は、前後の各側板４を左右方向のピン４１の回りに回動させ、上壁部２１３内面の突起２１４を縦長穴４２に嵌入させつつ側板４を中間水平部２１２上に直立させ、次いで、左右の各側板５を前後方向のピン５１の回りに回動させてパレット１上に直立させ、止め金具５３を前後の側板４の上端部に掛けて各側板４，５を互いに固定すればよい。この場合、側板４は縦長穴４２に嵌入する突起２１４により浮上りを防止され、側板５は上端部を止め金具５３で側板４に固定されることで浮上りが防止される。箱状に組立てられた側板４、５の上端には上蓋６をかぶせてゴムバンド等で固定する。
【００１９】
【発明の効果】
本発明によれば、前後方向のピンが下壁部両端の隙間に、及び左右方向のピンが縦スリット内に夫々落し込まれた状態のまま、各側板を立て起こし又は折り畳むことができるので、パレット上の金枠内の空間に寝かせてある側板を立て起こすだけで簡単に側板組立ができ、しかも必要なときは、各側板を金枠から容易に取外すことができるという効果が奏される。
【００２０】
また、実施形態（イ）によれば、側板の少なくとも１枚が２つ折れ構造になっているので、その側板の上部をコンテナ外方へ反転させれば、コンテナに内容物を容易に積み込むことができて便利である。
【図面の簡単な説明】
【図１】本実施例たる簡易コンテナにおける金枠コーナー部分の構造を説明するための三面図及び斜視図である。
【図２】本実施例たる簡易コンテナの全体像を示す斜視図である。
【符号の説明】
１…パレット
２…金枠
３…隅金具
４…コンテナの前後の側板
５…コンテナの左右の側板
６…上蓋
【図１】
0003824108.tif 000002
【図２】
0003824108.tif 000003